(57)【特許請求の範囲】
【請求項１】
スイッチケースを構成するロアケースの内部に、ジョイパッド受け面を有する突起部を、上記ロアケースに形成すると共に、このロアケースの内部に、上記突起部を中心として周方向に配置される複数個のコンタクトスイッチ及び照明灯を取付けてなる回路基板を固定し、また上記ロアケースに被着されるアッパケースには、円筒部で囲まれておりかつジョイパッドを収容位置させる収容空間を形成し、該収容空間内に位置されるジョイパッドの裏側中央部には、上記ジョイパッド受け面に当接支持される支軸部と、該支軸部を中心として上記コンタクトスイッチに対応して設けた環状のスイッチ押圧部と、該スイッチ押圧部と上記支軸部との間で形成される可撓弾性板取付部を設け、上記円筒部のアッパケース内側端縁と、上記ジョイパッドに形成した可撓弾性板取付部との間を遮光性を有する可撓弾性板で連結支持させると共に上記スイッチ押圧部の周端面を可撓弾性板に近接せしめたことを特徴とする操作スイッチ構造。
【発明の詳細な説明】
【０００１】
【発明の属する技術分野】
本発明は、例えば車載用情報表示器、ドアミラー等を操作する操作スイッチであって、特にその操作スイッチにおけるジョイパッドの押圧操作感を良好ならしめること及びスイッチの製作経済性を高めること、さらには操作スイッチの内部に具備せしめている照明灯からのスイッチ外部への光漏れを防止することができる操作スイッチの構成に関するものである。
【０００２】
【従来の技術】
例えば自動車用マルチディスプレイ装置（車両情報表示器）やドアミラーを移動操作するために用いられる複合型押圧スイッチの従来例として図３乃至図５で示される構造のものがある。この従来例は、ロアケース１の内部に収納される回路基板２に取付孔３を穿設し、この取付孔３内に軸受けジョイント部材４を嵌合係止させると共に、この軸受けジョイント部材４に設けられている爪部５を、ロアケース１に形成されている係止孔６に係止させて、回路基板２と共にロアケース１に結合している。
【０００３】
また上記回路基板２上には、上記取付孔３を中心とする四方向にそれぞれのコンタクトスイッチ７を配設し、さらにそれらコンタクトスイッチ７と取付孔３との間の適宜位置に照明灯８を配設している。９は上記の軸受けジョイント部材４によって自由方向へ傾動可能に摩擦結合されている支持部材であり、この支持部材９の一端にはジョイパッド１０が嵌着されている。
【０００４】
支持部材９を介して軸支されたジョイパッド１０の周縁鍔部１１は、上記の各コンタクトスイッチ７に近設され、このジョイパッド１０を上記支持部材９を支点として傾動させることにより、上記いずれか一つのコンタクトスイッチを選択的に操作することができる構造となっている。なお１２はアッパケースであって、このアッパケース１２には、上記ジョイパッド１０を嵌入し、かつそのジョイパッド１０の傾動を妨げることのない孔径に形成したジョイパッド嵌入孔１３が形成されている。
【０００５】
【発明が解決しようとする課題】
このように構成されている押圧スイッチにあっては、上記ジョイパッド１０の周縁鍔部１１でコンタクトスイッチ７を直接に押圧操作する構成となっているので、そのジョイパッド１０を介してのコンタクトスイッチ７の押圧感を最適値となるように設定することが困難であった。即ち上記スイッチ構造において使用されるコンタクトスイッチは経済性を高める意味で一般的に汎用品を使用していることから、それら汎用スイッチの押圧力を所望の押圧力が得られるように自由に設定（調整）することは制約があり、このために押圧操作感に優れた押圧スイッチを得ることが困難であった。
【０００６】
また上記従来のスイッチ構造にあっては、ジョイパッド１０の外周面と、アッパケース１２に設けられているジョイパッド嵌入孔１３の内周面との間に、そのジョイパッド１０の傾動を妨げない隙間を設ける必要がある。この隙間１４を有していることで照明灯８を点灯したときに、該照明灯８からの光が上記ジョイパッド１０の周縁鍔部１１と回路基板２間を通り更に、上記隙間１４を通ってスイッチ外部へ漏光されスイッチの品質低下を生じるという不具合があった。
【０００７】
また上記従来のスイッチ構造では、ジョイパッド１０を傾動可能に支持せしめる構成として、ロアケース１上に係止される軸受けジョイント部材４と、該軸受けジョイント部材４に嵌合される支持部材９を設け、この支持部材９にジョイパッド１０を取付けるという支持構造となっているために、上記各部材を使用する押圧スイッチの組付精度を高めるためには、上記各使用部材の寸法精度が要求され、このために各使用部品が必然的にも高価となる。さらには使用部品点数が増大している等の点で構成される押圧スイッチの組立作業性が低下する等の点で経済性に欠けるものであった。
【０００８】
本発明はかかる従来の欠点に着目してなされたもので、ジョイパッドと汎用のコンタクトスイッチを使用する押圧スイッチにおいて、そのスイッチの押圧操作感を向上せしめることを第１の目的とする。
【０００９】
また本発明では、スイッチ内部に具備せしめた照明灯から光がスイッチ外部へ漏光されることがないようにしてスイッチの品質を高めることを第２の目的とする。
【００１０】
さらに本発明では、使用部品点数を削減すると共に組付作業性を高め、経済性に優れた押圧スイッチの提供を第３の目的とするものである。
【００１１】
【課題を解決するための手段】
上記第１の目的乃至第３の目的を達成するために本発明の請求項１では、スイッチケースを構成するロアケースの内部に、ジョイパッド受け面を有する突起部を、上記ロアケースと一体に形成すると共に、このロアケースの内部に、上記突起部を中心として周方向に配置される複数個のコンタクトスイッチ及び照明灯を取付けてなる回路基板を固定し、また上記ロアケースに被着されるアッパケースには、円筒部で囲まれておりかつジョイパッドを収容位置させる収容空間を形成し、該収容空間内に位置されるジョイパッドの裏側中央部には、上記ジョイパッド受け面に当接支持される支軸部と、該支軸部を中心として上記コンタクトスイッチに対応位置される環状のスイッチ押圧部と、該スイッチ押圧部と上記支軸部との間で形成される可撓弾性板取付部を設け、上記円筒部端縁と、上記ジョイパッドに形成した可撓弾性板取付部との間を遮光性を有する可撓弾性板で連結支持させると共に上記スイッチ押圧部の周端面を可撓弾性板に接圧せしめた操作スイッチ構造であることを特徴としている。
【００１２】
【発明の実施の形態】
以下に本発明を図面に示す実施の形態に基いて詳細に説明する。
【００１３】
２１は、スイッチケース２２を構成するためのロアケースであり、このロアケース２１上には、アッパケース２３が被着され不図示である適宜の取付手段により隙間なく結合される。このロアケース２１にはその内部方向へ突設される突起部２４がそのロアケース２１と一体に形成されており、さらにその突起部２４の先端には、凹曲面形状に形成されたジョイパッド受け面２５が形成されている。
【００１４】
２６は上記突起部２４が貫通してロアケース２１の内底面に固定される回路基板であって、この回路基板２６上には、上記突起部２４を中心としてその周囲で、例えば周方向四等分位置に複数個（４個）のコンタクトスイッチ（押圧スイッチ）２７が配設されている。
【００１５】
さらに、その回路基板２６上の適宜位置にはジョイパッド透過照明用の照明灯２８が配置されている。
【００１６】
２９は平面円形に形成されているジョイパッドであって、このジョイパッド２９の裏側中心部には、上記のジョイパッド受け面２５に当接支持される支軸部３０と、この支軸部３０を中心とする周方向で、しかも上記コンタクトスイッチ２７に近設位置されるリブ形状のスイッチ押圧部３１が突設されており、さらにそのジョイパッド２９には、光透過性の表示部２９Ａ，２９Ｂが形成されている。また上記支軸部３０とスイッチ押圧部３１との間にラバーシート等からなる可撓弾性板取付部３２が突設されている。この可撓弾性板取付部３２には、複数の加締め用突起３３がジョイパッドと一体に樹脂成形されている。
【００１７】
上記アッパケース２３には、そのアッパケース２３の内側へ向って突設される円筒部３４がそのアッパケース２３と一体に形成されており、この円筒部３４の内側が上記ジョイパッド２９を収容することができる収容空間３５を形成している。さらに上記円筒部３４のアッパケース２３内側端縁には、下記する可撓弾性板を取付ける加締用突起３６がアッパケース２３と一体に樹脂成形されている。
【００１８】
３７は、上記ジョイパッド２９に設けられている可撓弾性板取付部３２に加締めにより止着される、例えばラバーシート、金属薄板等からなる遮光性の可撓弾性板であって、この可撓弾性板３７には、上記の突起部２４が貫通する貫通孔３８、ジョイパッド２９の取付孔３９及びアッパケース２３への取付孔４０、並びに上記照明灯２８からの光を上記ジョイパッド２９に設けられている表示部２９Ａを透過照明表示させるための透光窓孔４１が穿設されている。
【００１９】
以上が各部材の構成であるが、次にそれら部材を使用して操作スイッチを組立てる手順について説明する。
【００２０】
先ずはロアケース２１の内底部に、コンタクトスイッチ２７及び照明灯２８を配設した回路基板２６を固定する。このとき、ロアケース２１内に突設されている突起部２４を回路基板２６に貫通させる。
【００２１】
次にジョイパッド２９の裏面に可撓弾性板３７を当てがい、ジョイパッド２９に形成されている加締め用突起３３を可撓弾性板３７の取付孔３９内に挿通し、この加締め用突起３３の突出先端を加熱により加締めてジョイパッド２９と可撓弾性板３７とを結合する。次いでその可撓弾性板３７の外周縁部をアッパケース２３に形成されている円筒部３４の周縁に当てがい、その円筒部３４に形成されている加締め用突起３６を可撓弾性板３７の取付孔４０内に挿通し、この加締め用突起４０の突出先端を加熱により加締めてジョイパッド２９と共に可撓弾性板３７をアッパケース２３に固定する。
【００２２】
このようにしてコンタクトスイッチ２７及び照明灯２８が配設されている回路基板２６を取付けてなるロアケース２１に、ジョイパッド２９を可撓弾性板３７を介して支持せしめてなるアッパケース２３を被着することにより図１で示すように、可撓弾性板３７の中央部に形成されている貫通孔３８内にロアケース２１の突起部２４が貫通され、その突起部２４の先端に形成されているジョイパッド受け面２５に、ジョイパッド２９の中央部に形成されている支軸部３０が当接支持されると共に、ジョイパッド２９に形成されているスイッチ押圧部３１が可撓弾性板３７を介してコンタクトスイッチ２７に近設して、操作スイッチが組立てられる。
【００２３】
以上のようにして組立てられた操作スイッチは、ジョイパッド２９は可撓弾性板３７を介してアッパケース２３に結合支持され、またそのアッパケース２３をロアケース２１上に被着したとき、そのアッパケース２３に結合支持されているジョイパッド２９の支軸部３０の先端が、ロアケース２１に設けられている突起部２４のジョイパッド受け面２５に当接支持される。
従って組付精度の高い品質に優れた操作スイッチの提供が可能となる。
【００２４】
また上記可撓弾性板３７の材質、硬度、厚さ等を適宜選択することで流用品のコンタクトスイッチ２７を使用しながら、ジョイパッド２９の押圧操作時における押圧操作感を最適値に設定することができ操作感にも優れた操作スイッチの提供が可能である。
【００２５】
さらに上記構成の操作スイッチによれば、その使用構成部材の点数が比較的少なく、操作スイッチ全体の寸法精度を高めることができ、経済性と組立作業性に優れた操作スイッチの提供が可能である。
【００２６】
さらに可撓弾性板を遮光性を有する材質とすることでケース内部に配設させている照明灯２８の発光時において、可撓弾性板３７を透してスイッチケース２３外へ漏光されることがなく、またジョイパッド２９の周縁リブ状に形成されているスイッチ押圧部３１と可撓弾性板３７との面接触であることにより照明灯２８による光がスイッチケース２３外へ漏光されることがない。
【００２７】
【発明の効果】
以上のように本発明の操作スイッチによれば、そのジョイパッドは可撓弾性板３７を介してアッパケースに取付ける構成となしているので、アッパケースとジョイパッドとの位置決め及び該ジョイパッドとロアケースとの位置決めが確保でき、これらによって組付精度の高い品質の良好な操作スイッチの提供が可能となる。
【００２８】
また本発明による操作スイッチによれば、ジョイパッドを可撓弾性板を介してアッパケースに保持させていることから、その可撓弾性板の厚さ、硬度材質を適宜選択することにより操作感に優れた操作スイッチを提供することができる。
【００２９】
また本発明による操作スイッチは、その構成部品が比較的少数であるので、組立作業が良いことは勿論のこと部品点数の削減等に伴ないそのスイッチのコストダウンが可能となる。
【００３０】
さらに本発明の操作スイッチによれば、スイッチケース内での照明灯等の光がジョイパッド２９の周縁とアッパケース２３との間で生じている隙間からスイッチケース外部へ漏光されることがない。
【図面の簡単な説明】
【図１】本発明よりなるスイッチ構造の実施の形態を示した要部断面図。
【図２】本発明よりなるスイッチ構造の実施の形態を示した要部分解斜視図。
【図３】従来のスイッチ構造の要部平面図。
【図４】図３におけるＡ−Ａ線断面図。
【図５】従来のスイッチ構造の要部分解説明図。
【符号の説明】
２１…ロアケース
２２…スイッチケース
２３…アッパケース
２４…突起部
２５…ジョイパッド受け面
２６…回路基板
２７…コンタクトスイッチ
２８…照明灯
２９…ジョイパッド
３０…支軸部
３１…スイッチ押圧部
３２…可撓弾性板取付部
３３…加締め用突起
３４…円筒部
３５…収容空間
３６…加締め用突起
３７…可撓弾性板
３８…貫通孔
３９…取付孔
４０…取付孔
４１…透孔窓孔
【図１】
0004143220.tif 000002
【図２】
0004143220.tif 000003
【図３】
0004143220.tif 000004
【図４】
0004143220.tif 000005
【図５】
0004143220.tif 000006